(57)【要約】  データ送信の方法およびデバイスが、提供される。本方法は、スモール・データ・インジケータを含む接続要求を基地局に対して送信するステップと、基地局からの、信号無線ベアラおよびデータ無線ベアラの構成を含む接続セットアップ・メッセージの受信に応じて、リソース割り付け結果を取得するために、接続セットアップ完了メッセージを基地局に対して送信するステップとを含む。
2016524841.tif 000002
【特許請求の範囲】
【請求項１】
スモール・データ・インジケータを含む接続要求を基地局に対して送信するステップと、
前記基地局からの、信号無線ベアラおよびデータ無線ベアラの構成を含む接続セットアップ・メッセージの受信に応じて、リソース割り付け結果を取得するために、接続セットアップ完了メッセージを前記基地局に対して送信するステップと
を含むデータ送信の方法。
【請求項２】
前記接続セットアップ完了メッセージは、セキュリティ識別子を含み、前記セキュリティ識別子は、使用された暗号化アルゴリズムと、前記暗号化アルゴリズムのキーとに関連づけられる、請求項１に記載の方法。
【請求項３】
前記接続セットアップ完了メッセージは、接続識別子をさらに含み、前記接続識別子は、前記基地局と、ゲートウェイとによって一度確立されるトンネルの識別子を表す、請求項２に記載の方法。
【請求項４】
前記接続セットアップ完了メッセージは、シグネチャをさらに含み、前記シグネチャは、前記接続セットアップ完了メッセージを前記基地局に対して送信するユーザ機器の識別子を含む、請求項２または３に記載の方法。
【請求項５】
スモール・データ・インジケータを含む接続要求を基地局に対して送信するステップは、
前記基地局からの、前記スモール・データ・インジケータを含むページング・メッセージの受信に応じて、アクセス・プリアンブルを前記基地局に対して送信するステップと、
前記基地局からの、前記アクセス・プリアンブルに対する応答の受信に応じて、前記接続要求を前記基地局に対して送信するステップと
を含む、請求項１に記載の方法。
【請求項６】
ユーザ機器からの、スモール・データ・インジケータを含む接続要求の受信に応じて、信号無線ベアラおよびデータ無線ベアラの構成を含む接続セットアップ・メッセージを前記ユーザ機器に対して送信するステップと、
前記ユーザ機器からの接続セットアップ完了メッセージの受信に応じて、リソース割り付け結果を前記ユーザ機器に対して通知するステップと
を含むデータ送信の方法。
【請求項７】
前記接続セットアップ完了メッセージは、セキュリティ識別子を含み、前記セキュリティ識別子は、使用された暗号化アルゴリズムと、前記暗号化アルゴリズムのキーとに関連づけられる、請求項６に記載の方法。
【請求項８】
前記接続セットアップ完了メッセージは、接続識別子をさらに含み、前記接続識別子は、基地局と、ゲートウェイとによって一度確立されるトンネルの識別子を表す、請求項７に記載の方法。
【請求項９】
前記接続セットアップ完了メッセージは、シグネチャをさらに含み、前記シグネチャは、前記ユーザ機器の識別子を含む、請求項７または８に記載の方法。
【請求項１０】
モビリティ管理エンティティからの、前記スモール・データ・インジケータを含むページング通知の受信に応じて、前記スモール・データ・インジケータを含むページング・メッセージを前記ユーザ機器に対して送信するステップ
をさらに含み、
前記ページング通知は、ゲートウェイからの、前記スモール・データ・インジケータを含むダウンリンク・データ通知に応じて、基地局に対して前記モビリティ管理エンティティによって送信され、また
前記ユーザ機器は、前記基地局からの前記ページング・メッセージの受信に応じて、アクセス・プリアンブルを前記基地局に対して送信し、また前記基地局からの、前記アクセス・プリアンブルに対する応答の受信に応じて、前記接続要求を前記基地局に対して送信する、請求項６に記載の方法。
【請求項１１】
スモール・データ・インジケータを含む接続要求を基地局に対して送信するように構成された要求トランスミッタと、
基地局からの、信号無線ベアラおよびデータ無線ベアラの構成を含む接続セットアップ・メッセージの受信に応じて、リソース割り付け結果を取得するために、接続セットアップ完了メッセージを前記基地局に対して送信するように構成された完了メッセージ・トランスミッタと
を備えているデータ送信のデバイス。
【請求項１２】
ユーザ機器からの、スモール・データ・インジケータを含む接続要求の受信に応じて、信号無線ベアラおよびデータ無線ベアラの構成を含む接続セットアップ・メッセージを前記ユーザ機器に対して送信するように構成された接続セットアップ・トランスミッタと、
前記ユーザ機器からの接続セットアップ完了メッセージの受信に応じて、リソース割り付け結果を前記ユーザ機器に対して通知するように構成されたリソース割り付け通知器と
を備えているデータ送信のデバイス。
【請求項１３】
請求項１１に記載の前記デバイスを備えているユーザ機器。
【請求項１４】
請求項１２に記載の前記デバイスを備えている基地局。
【発明の詳細な説明】
【技術分野】
【０００１】
本発明は、通信の分野に関し、また詳細には、データ送信の方法およびデバイスに関する。
【背景技術】
【０００２】
アイドル・モードから無線ソース制御接続（ＲＲＣ接続（ＲＲＣ  ＣＯＮＮＥＣＴＥＤ））モードへの変換によって引き起こされる信号オーバーヘッドを低減させるために、産業界において現在採用されている問題解決手法は、少量のデータ（以下では「スモール・データ（ｓｍａｌｌ  ｄａｔａ）」と称される）を転送することを含んでいるが、ＵＥは、ＮＡＳ信号接続を有していない。２つの代替案が、ＴＲ２３．８８７の中に説明されている。両方の代替案は、信号ゲートウェイ（例えば、Ｓ−ＧＷ）における公衆データ・ネットワークＰＤＮ接続（単数または複数）のベアラ・エンド・ポイント（単数または複数）についての情報をＵＥに対して提供する原理に基づいている。
【０００３】
トンネリングの概念は、基地局（例えば、ｅＮＢ）が、ベアラ・セットアップなしに、またモビリティ管理エンティティ（ＭＭＥ：ｍｏｂｉｌｉｔｙ  ｍａｎａｇｅｍｅｎｔ  ｅｎｔｉｔｙ）を伴うことなしに、スモール・データをＳ−ＧＷに対して直接に転送することができる問題解決手法の中で使用される。ｅＮＢは、ユーザ機器（ＵＥ：ｕｓｅｒ  ｅｑｕｉｐｍｅｎｔ）からプロトコル・データ・ユニット（ＰＤＵ：ｐｒｏｔｏｃｏｌ  ｄａｔａ  ｕｎｉｔ）の暗号化による特別なパケットを識別し、また次いで転送を適用する。
【０００４】
あらかじめ構成されたエボリューション・パケット・システム（ＥＰＳ：ｅｖｏｌｕｔｉｏｎ  ｐａｃｋｅｔ  ｓｙｓｔｅｍ）ベアラ（単数または複数）あるいはＰＤＮ接続（単数または複数）（これらは、ＭＭおよびＳＭプロシージャの間に可能にされる）に基づいて、ＵＥは、ベアラ・リソースＩＤ（「Ｓｍａｌｌ  Ｄａｔａ  Ｆａｓｔ  Ｐａｔｈ」、ＴＲ２３．８８７、ｖ０．８．０、ｓｅｃｔｉｏｎ  ５．１．１．３．６．２）または接続ＩＤ（「Ｃｏｎｎｅｃｔｉｏｎｌｅｓｓ  Ｄａｔａ  Ｔｒａｎｓｍｉｓｓｉｏｎ」、ＴＲ２３．８８７、ｖ０．８．０、ｓｅｃｔｉｏｎ  ５．１．１．３．６．３）を使用して、そのＥＰＳベアラまたはＰＤＮ接続をアクティブにすることになる。
【０００５】
現在では、コネクションレス・アプローチについてのＲＡＮスキームは、依然としてＲＡＮ２についてオープンである。現在のスキーム、例えば、３ＧＰＰ  ＴＲ２３．８８７、ｖ０．９．０のＦｉｇ．５．１．１．３．１．１−２においては、マシン型および他のモバイル・データ・アプリケーション通信機能強化は、図７の中にメッセージ・シーケンス７００によって示されるように、１つのＩＰパケット対の転送のためのＬＴＥメッセージ・シーケンスを示している。図７から分かるように、先行技術は、ＲＲＣ接続確立と、ＤＲＢセットアップと、セキュリティ・ハンドリング・プロシージャとをそれぞれ別々に実行し、これは、たくさんの信号の送信を必要とし、またこれは、大きなリソース消費や低いハンドリング・スピードなどの問題を引き起こす可能性がある。
【０００６】
したがって、アイドル・モードから無線ソース制御接続（ＲＲＣ接続）モードへの変換中に信号オーバーヘッドを低減させることができる問題解決手法についての必要がある。
【先行技術文献】
【非特許文献】
【０００７】
【非特許文献１】「Ｓｍａｌｌ  Ｄａｔａ  Ｆａｓｔ  Ｐａｔｈ」、ＴＲ２３．８８７、ｖ０．８．０、ｓｅｃｔｉｏｎ  ５．１．１．３．６．２
【非特許文献２】「Ｃｏｎｎｅｃｔｉｏｎｌｅｓｓ  Ｄａｔａ  Ｔｒａｎｓｍｉｓｓｉｏｎ」、ＴＲ２３．８８７、ｖ０．８．０、ｓｅｃｔｉｏｎ  ５．１．１．３．６．３
【非特許文献３】３ＧＰＰ  ＴＲ２３．８８７、ｖ０．９．０のＦｉｇ．５．１．１．３．１．１−２
【発明の概要】
【発明が解決しようとする課題】
【０００８】
上記問題を考慮して、本発明は、データ送信の問題解決手法を提供しており、この問題解決手法は、アイドル・モードからＲＲＣ接続モードへの変換中に信号を効果的に低減させ、信号オーバーヘッドを低下させ、またそれによってハンドリング・スピードを改善し、またリソース消費を低減させることができる。
【課題を解決するための手段】
【０００９】
本発明の第１の態様によれば、データ送信の方法が、提供されている。本方法は、スモール・データ・インジケータを含む接続要求を基地局に対して送信するステップと、基地局からの、信号無線ベアラおよびデータ無線ベアラの構成を含む接続セットアップ・メッセージの受信に応じて、リソース割り付け結果を取得するために、接続セットアップ完了メッセージを基地局に対して送信するステップとを含むことができる。
【００１０】
本発明の第２の態様によれば、データ送信の方法が、提供されている。本方法は、ユーザ機器からの、スモール・データ・インジケータを含む接続要求の受信に応じて、信号無線ベアラおよびデータ無線ベアラの構成を含む接続セットアップ・メッセージをユーザ機器に対して送信するステップと、ユーザ機器からの接続セットアップ完了メッセージの受信に応じて、リソース割り付け結果をユーザ機器に対して通知するステップとを含むことができる。
【００１１】
本発明の第３の態様によれば、データ送信のデバイスが、提供されている。本デバイスは、スモール・データ・インジケータを含む接続要求を基地局に対して送信するように構成された要求トランスミッタと、基地局からの、信号無線ベアラおよびデータ無線ベアラの構成を含む接続セットアップ・メッセージの受信に応じて、リソース割り付け結果を取得するために、接続セットアップ完了メッセージを基地局に対して送信するように構成された完了メッセージ・トランスミッタとを備えることができる。
【００１２】
本発明の第４の態様によれば、データ送信のデバイスが、提供されている。本デバイスは、ユーザ機器からの、スモール・データ・インジケータを含む接続要求の受信に応じて、信号無線ベアラおよびデータ無線ベアラの構成を含む接続セットアップ・メッセージをユーザ機器に対して送信するように構成された接続セットアップ・トランスミッタと、ユーザ機器からの接続セットアップ完了メッセージの受信に応じて、リソース割り付け結果をユーザ機器に対して通知するように構成されたリソース割り付け通知器とを備えていることができる。
【００１３】
本発明の実施形態によれば、ＲＲＣ接続確立プロシージャは、ＤＲＢセットアップ／セキュリティ・ハンドリング・プロシージャと組み合わせて遂行されることもあり、またはＲＲＣ接続確立プロシージャは、ＤＲＢセットアップ・プロシージャと、セキュリティ・ハンドリング・プロシージャと組み合わせて遂行されることもあり、それによって信号送信を低減させ、信号オーバーヘッドを効果的に低下させ、リソース消費を低減させ、またハンドリング・スピードを改善している。
【００１４】
本発明の他の特徴と、利点とは、図面を参照して本発明の好ましい実施形態についての以下の説明によって、より明らかになるであろう。
【００１５】
本発明についての他の目的と、効果とは、図面を参照しての以下の説明と、本発明についてのより包括的な理解とによって、理解することがより明らかで簡単になるであろう。
【図面の簡単な説明】
【００１６】
【図１】本発明の一実施形態による、データ送信の方法１００のフローチャートである。
【図２】本発明の一実施形態による、データ送信の方法２００のフローチャートである。
【図３】本発明の一実施形態による、データ送信のデバイス３００のブロック図である。
【図４】本発明の一実施形態による、データ送信のデバイス４００のブロック図である。
【図５】本発明の一実施形態による、モバイル起源（ＭＯ：ｍｏｂｉｌｅ  ｏｒｉｇｉｎａｔｅｄ）状況におけるデータ送信メッセージ・シーケンス５００の概略図である。
【図６】本発明の一実施形態による、モバイル終了（ＭＴ：ｍｏｂｉｌｅ  ｔｅｒｍｉｎａｔｅｄ）状況におけるデータ送信メッセージ・シーケンス６００の概略図である。
【図７】先行技術による、ＩＰパケット対の送信のためのＬＴＥメッセージ・シーケンス７００の図である。
【発明を実施するための形態】
【００１７】
上記の図面のすべてにおいて、同一の参照番号は、同一の、同様な、または対応する特徴または機能を示している。
【００１８】
本発明の実施形態は、図面を参照して、より詳細に、以下で示され、また説明されるであろう。本発明の図面および実施形態は、例示の例証目的を意図しているにすぎず、また本発明の保護範囲を限定することを意図してはいないことを理解すべきである。
【００１９】
図面の中のフローチャートと、ブロック図とは、本発明の実施形態による方法、システム、ならびにコンピュータ・プログラム製品によって実行可能なアーキテクチャ、機能、およびオペレーションを示すものである。これに関して、フローチャートまたはブロック図の中の各ブロックは、モジュール、プログラム・セグメント、またはコードの部分を表すことができ、これは、指定されたロジック機能を実行するための１つまたは複数の実行可能な命令を含んでいる。いくつかの代替的な実装形態においては、ブロックの中に書き留められる機能は、図面の中に書き留められる順序と異なって起こる可能性があることにも注意すべきである。例えば、連続して示される２つのブロックは、実質的に並列に、または逆の順序で実行されることもある。ブロック図および／またはフローチャートの中の各ブロックと、ブロック図および／またはフローチャートの中のブロックの組合せとは、所定の機能またはオペレーションを実行するための専用のハードウェア・ベースのシステムによって実施されることもあり、あるいは専用のハードウェアと、コンピュータ命令との組合せによって実施されることもあることにも注意すべきである。本発明の図面と実施形態とは、例示の例証目的を意図しているにすぎず、また本発明の保護範囲を限定することを意図してはいないことを理解すべきである。本発明は、図面に関連して、より詳細に以下で示され、また説明されるであろう。
【００２０】
本発明においては、ユーザ機器（ＵＥ）は、モバイル電話、携帯型個人情報端末（ＰＤＡ：ｐｅｒｓｏｎａｌ  ｄｉｇｉｔａｌ  ａｓｓｉｓｔａｎｔ）、ポータブル・コンピュータ、モバイル通信機能を有する任意の他の適切な端末など、様々な端末とすることができる。例えば、基地局は、ノードＢ、ｅノードＢ（ｅＮｏｄｅＢ）（ｅＮＢ）、アクセス・ポイント（ＡＰ：ａｃｃｅｓｓ  ｐｏｉｎｔ）、無線アクセス局（ＲＡＳ：ｒａｄｉｏ  ａｃｃｅｓｓ  ｓｔａｔｉｏｎ）などとすることができる。
【００２１】
本発明の実施形態は、主として、一例として、ロング・ターム・エボリューション（ＬＴＥ：ｌｏｎｇ−ｔｅｒｍ  ｅｖｏｌｕｔｉｏｎ）システムを使用することにより、説明されるが、これは例示的なものにすぎず、また本発明の技術的問題解決手法は、ユニバーサル・モバイル・テレコミュニケーション・システム（ＵＭＴＳ：ｕｎｉｖｅｒｓａｌ  ｍｏｂｉｌｅ  ｔｅｌｅｃｏｍｍｕｎｉｃａｔｉｏｎｓ  ｓｙｓｔｅｍ）など、他の適切なシステムに対しても完全に適用され得ることに注意すべきである。
【００２２】
図１は、本発明の一実施形態による、データ送信の方法１００のフローチャートである。図１に示される実施形態は、当業者にとって使用可能なユーザ機器、または他の任意の適切な機器によって実施されることもある。
【００２３】
ステップＳ１０１において、スモール・データ・インジケータを含む接続要求が、基地局に対して送信される。
【００２４】
本発明の一実施形態によれば、接続要求は、例えば、ＲＲＣ接続要求とすることができる。ＲＲＣ接続確立プロシージャの初めに、ＵＥは、ランダム・アクセス・プリアンブルを基地局に対して送信することができ、また既存の方法におけるように、基地局からランダム・アクセス応答を受信した後に、ＲＲＣ接続要求を始める。例えば、図５に示されるモバイル起源（ＭＯ）シナリオの下のメッセージ・シーケンスにおいて、ＵＥは、ランダム・アクセス・プリアンブルをｅＮＢに対して送信し（５０１）、次いでｅＮＢは、ランダム・アクセス応答をＵＥに対して送信し（５０２）、また次いでＵＥは、ＲＲＣ接続要求を基地局に対して送信する（５０３）。
【００２５】
既存のＲＲＣ接続要求とは異なって、本発明の実施形態によるＲＲＣ接続要求は、スモール・データ送信が、実行されることになることを示すスモール・データ・インジケータを含むことに注意すべきである。
【００２６】
本発明の文脈においては、「スモール・データ」は、より少量のデータ、例えば、温度、気圧、水文学などの監視データを表すことができる。さらに、本発明の実施形態において述べられる用語「データ」は、いくつかの場合には、用語「スモール・データ」と互換性がある。
【００２７】
本発明の実施形態によれば、スモール・データ・インジケータを含む接続要求を基地局に対して送信するプロシージャは、以下のステップ、すなわち、基地局からの、スモール・データ・インジケータを含むページング・メッセージの受信に応じて、アクセス・プリアンブルを基地局に対して送信するステップと、基地局からの、アクセス・プリアンブルに対する応答の受信に応じて、接続要求を基地局に対して送信するステップとを含むことができる。例えば、図６に示されるモバイル終了（ＭＴ）シナリオの下のメッセージ・シーケンスにおいては、Ｓ−ＧＷまたはＰ−ＧＷは、スモール・データの送信が、実行されるべきであることを示すスモール・データ・インジケータを含むダウンリンク・データ通知をＭＭＥに対して送信し（６０１）、ＭＭＥは、ダウンリンク・データ通知に従って、ページング通知をｅＮＢに対して送信し（６０２）、そのページング通知はまた、スモール・データ・インジケータを含んでおり、ページング通知に応じて、ｅＮＢは、スモール・データの送信が、実行されるべきであることを示すスモール・データ・インジケータを含むページング・メッセージ６０３をＵＥに対して送信し、ページング・メッセージの受信のすぐ後に、ＵＥは、ランダム・アクセス・プリアンブルを基地局に対して送信する（６０４）ことができ、また基地局から送信される（６０５）ランダム・アクセス応答の受信の後に、スモール・データ・インジケータを含むＲＲＣ接続要求を始める（６０６）。
【００２８】
ステップＳ１０２において、基地局からの、信号無線ベアラおよびデータ無線ベアラの構成を含む接続セットアップ・メッセージの受信に応じて、接続セットアップ完了メッセージは、リソース割り付け結果を取得するために、基地局に対して送信される。
【００２９】
本発明による一実施形態においては、スモール・データ・インジケータを含む接続要求が、基地局に対して送信された後に、基地局は、ユーザ機器に対して、接続セットアップ・メッセージを、例えば、ＲＲＣ接続セットアップ・メッセージを送信することができ、またメッセージは、信号無線ベアラ（ＳＲＢ）およびデータ無線ベアラ（ＤＲＢ）の構成を含むことができる。ユーザ機器は、接続セットアップ・メッセージから信号無線ベアラ（ＳＲＢ）およびデータ無線ベアラ（ＤＲＢ）の構成を抽出し、次いで接続セットアップ完了メッセージを基地局に対して送信することができる。
【００３０】
ＬＴＥシステムにおいては、ＵＥが、ＲＲＣアイドル状態におけるＳＲＢ０の構成およびリソースを取得することができるので、ＲＲＣ接続確立プロシージャ中にＵＥと、ｅＮＢとの間で取得される信号無線ベアラは、通常、ＳＲＢ１のことを意味する。しかしながら、本発明の技術的問題解決手法は、ＬＴＥシステムに適用されることもあるが、ＬＴＥシステムだけには限定されず、また本発明の技術的問題解決手法が適用され得る他のシステムにおいては、接続セットアップ完了メッセージの中に含まれる信号無線ベアラは、ＳＲＢ１以外の他の特定の内容とすることができることを理解すべきである。
【００３１】
本発明の一実施形態によれば、接続セットアップ完了メッセージは、１つまたは複数の種類の情報を含むことができる。本発明の一実施形態においては、接続セットアップ完了メッセージは、セキュリティ識別子を含むことができ、そこでは、セキュリティ識別子は、使用された暗号化アルゴリズムと、暗号化アルゴリズムのキーとに関連づけられる。本発明の一実施形態においては、セキュリティ・モード・リストは、ユーザ機器と、基地局とにおいてそれぞれ記憶され、または保存されることもある。このリストの中には、１つまたは複数のセキュリティ識別子が、存在している可能性がある。各セキュリティ識別子は、固有であり、それぞれ、特定の暗号化アルゴリズムと、その暗号化アルゴリズムによって使用されるキーとを識別する。これらの暗号化アルゴリズムと、それらによって使用されるキーとは、過去の期間にユーザ機器によって一度使用され、また基地局と、ユーザ機器との両方においてキャッシュされるこれらのものとすることができる。セキュリティ識別子を送信することにより、対応する暗号化アルゴリズムと、それによって使用されるキーとは、ユーザ機器と、基地局との両方において決定されることもあり、それによって、送信された内容を低減させ、また送信効率を改善している。
【００３２】
本発明による実施形態においては、現在のＲＡＮセキュリティ・ポリシーは、再利用されることもある。セキュリティ識別子は、ｅＮＢによって割り付けられる「トークン」とすることができる。トークンは、ｅＮＢに関連するＵＥセキュリティ・コンテキストを、例えば、暗号化アルゴリズムと、暗号化アルゴリズムによって使用されるキーとを示すことができる。ＵＥがアイドル状態になった後に、セキュリティ・コンテキストは、ｅＮＢと、ＵＥとの中にキャッシュされる。トークンは、コンテキストに対するインデックスとしてＲＲＣ接続セットアップ完了メッセージの形で、ｅＮＢに対して送信される。
【００３３】
本発明の別の実施形態においては、接続セットアップ完了メッセージは、接続識別子をさらに含むことができ、そこでは、接続識別子は、基地局と、ゲートウェイとによって一度確立されるトンネルの識別子を表すことができる。
【００３４】
ＵＥは、ｅＮＢに対して、ＰＤＮ接続セットアップ時間にＭＭＥを経由してＳ−ＧＷがＵＥに対して渡した接続識別子を渡す必要があり、その結果、ｅＮＢは、アップリンク・トラフィックについての適切なＳ−ＧＷ  ＩＰアドレスと、適切なトンネル・エンド・ポイント識別子（ＴＥＩＤ：ｔｕｎｎｅｌ  ｅｎｄ−ｐｏｉｎｔ  ｉｄｅｎｔｉｆｉｅｒ）とを選択することができる。本発明の一実施形態によれば、接続識別子は、ＲＲＣ接続セットアップ完了メッセージの形で、搬送され、または後続のデータ・パケット送信において搬送されるが、また必ずしも接続セットアップ完了メッセージの形で搬送されるとは限らない。
【００３５】
本発明のさらなる一実施形態においては、接続セットアップ完了メッセージは、シグネチャをさらに含むことができ、そこでは、シグネチャは、接続セットアップ完了メッセージを基地局に対して送信するユーザ機器の識別子を含むことができる。シグネチャは、接続セットアップ完了メッセージについてはオプションであり、また必ずしも接続セットアップ完了メッセージの中に含まれるとは限らないことに注意すべきである。
【００３６】
図５に示されるモバイル起源（ＭＯ）シナリオの下のメッセージ・シーケンスにおいては、ＵＥが、ＲＲＣ接続要求をｅＮＢに対して送信した（５０３）後に、ｅＮＢは、ＳＲＢ１およびＤＲＢの構成を含むＲＲＣ接続セットアップ・メッセージをＵＥに対して送信し（５０４）、ＲＲＣ接続セットアップ・メッセージに応じて、ＵＥは、セキュリティ識別子と、接続識別子と、シグネチャとを含むことができるＲＲＣ接続セットアップ完了メッセージをｅＮＢに対して送信し（５０５）、その結果、ｅＮＢは、これらの情報に従ってリソースを割り付けて、後続のデータ送信を実行する。その後に、データ送信は、図５におけるＵＤＰ／ＩＰパケットの送信において示されるように、ＵＥと、ｅＮＢと、Ｓ−ＧＷ／Ｐ−ＧＷとの間で実行されることもある。データ送信が、ある期間にわたって実行されなかった後に、リソースは、非アクティビティ・タイマーに基づいて解放されることもあり、またＲＲＣ接続は、解放されることもある。
【００３７】
図６に示されるモバイル終了（ＭＴ）シナリオの下のメッセージ・シーケンスにおいては、ＵＥが、ＲＲＣ接続要求をｅＮＢに対して送信した（６０６）後に、ｅＮＢは、ＳＲＢ１およびＤＲＢの構成を含むＲＲＣ接続セットアップ・メッセージをＵＥに対して送信し（６０７）、ＲＲＣ接続セットアップ・メッセージに応じて、ＵＥは、セキュリティ識別子と、接続識別子と、シグネチャとを含むことができるＲＲＣ接続セットアップ完了メッセージをｅＮＢに対して送信し（６０８）、その結果、ｅＮＢは、これらの情報に従ってリソースを割り付けて、後続のデータ送信を実行する。その後に、データ送信は、図６におけるＵＤＰ／ＩＰパケットの送信において示されるように、ＵＥと、ｅＮＢと、Ｓ−ＧＷ／Ｐ−ＧＷとの間で実行されることもある。データ送信が、ある期間にわたって実行されなかった後に、リソースは、非アクティビティ・タイマーに基づいて解放されることもあり、またＲＲＣ接続は、解放されることもある。
【００３８】
図２は、本発明の一実施形態による、データ送信の方法２００のフローチャートである。図２の中に示される実施形態は、当業者にとって使用可能な基地局、または他の任意の適切な機器によって実施されることもある。
【００３９】
ステップＳ２０１において、ユーザ機器からのスモール・データ・インジケータを含む接続要求の受信に応じて、信号無線ベアラおよびデータ無線ベアラの構成を含む接続セットアップ・メッセージが、ユーザ機器に対して送信される。
【００４０】
図５に示されるモバイル起源（ＭＯ）シナリオの下のメッセージ・シーケンスにおいては、ｅＮＢが、基地局に対してＵＥによって送信される（５０３）ＲＲＣ接続要求を受信した後に、ｅＮＢは、ＲＲＣ接続セットアップ・メッセージをＵＥに対して送信する（５０４）。ランダム・アクセス・プリアンブルの送信と、ランダム・アクセス・プリアンブルに対する応答とが、通常、ＵＥと、ｅＮＢとの間で実行されるので、図５によって（同様に図６において）示される例は、ＵＥが、ランダム・アクセス・プリアンブルを送信し（５０１）、また基地局が、ランダム・アクセス応答をＵＥに対して送信する（５０２）ことを示すものである。
【００４１】
本発明の実施形態によれば、本方法２００は、オプションとして、以下のステップを、すなわち、モビリティ管理エンティティからの、スモール・データ・インジケータを含むページング通知の受信に応じて、スモール・データ・インジケータを含むページング・メッセージをユーザ機器に対して送信するステップをさらに含むことができる。本発明の一実施形態においては、ページング通知は、ゲートウェイからの、スモール・データ・インジケータを含むダウンリンク・データ通知に応じて、基地局に対してモビリティ管理エンティティによって送信されることもある。さらに、ユーザ機器は、基地局からのページング・メッセージの受信に応じて、アクセス・プリアンブルを基地局に対して送信することができ、また基地局からの、アクセス・プリアンブルに対する応答の受信に応じて、接続要求を基地局に対して送信することができる。
【００４２】
図６に示されるモバイル終了（ＭＴ）シナリオの下のメッセージ・シーケンスにおいては、Ｓ−ＧＷまたはＰ−ＧＷは、スモール・データの送信が、実行されるべきであることを示すスモール・データ・インジケータを含むダウンリンク・データ通知をＭＭＥに対して送信し（６０１）、ＭＭＥは、ダウンリンク・データ通知に従ってページング通知をｅＮＢに対して送信し（６０２）、ページング通知はまた、スモール・データ・インジケータを含んでおり、通知に応じて、ｅＮＢは、スモール・データの送信が、実行されるべきであることを示すスモール・データ・インジケータを含むページング・メッセージをＵＥに対して送信し（６０３）、ページング・メッセージの受信のすぐ後に、ＵＥは、ランダム・アクセス・プリアンブルをｅＮＢに対して送信する（６０４）ことができ、またｅＮＢから送信される（６０５）ランダム・アクセス応答の受信の後に、スモール・データ・インジケータを含むＲＲＣ接続要求６０６を始め、ＲＲＣ接続セットアップ・メッセージに応じて、ｅＮＢは、ＲＲＣ接続セットアップ・メッセージ６０７をＵＥに対して送信し、そのＲＲＣ接続セットアップ・メッセージは、信号無線ベアラおよびデータ無線ベアラの構成を含んでいる。
【００４３】
ステップＳ２０２において、ユーザ機器からの接続セットアップ完了メッセージの受信に応じて、リソース割り付け結果が、ユーザ機器に対して通知される。
【００４４】
本発明の一実施形態によれば、接続セットアップ完了メッセージは、１つまたは複数の種類の情報を含むことができる。本発明の一実施形態においては、接続セットアップ完了メッセージは、セキュリティ識別子を含むことができ、そこでは、セキュリティ識別子は、使用された暗号化アルゴリズムと、その暗号化アルゴリズムのキーとに関連づけられる。本発明の別の実施形態においては、接続セットアップ完了メッセージは、接続識別子をさらに含むことができ、そこでは、接続識別子は、基地局と、ゲートウェイとによって一度確立されるトンネルの識別子を表すことができる。本発明のさらなる一実施形態においては、接続セットアップ完了メッセージは、さらにシグネチャを含むことができ、そこでは、シグネチャは、接続セットアップ完了メッセージを基地局に対して送信するＵＥの識別子を含むことができる。
【００４５】
図５に示されるモバイル起源（ＭＯ）シナリオの下のメッセージ・シーケンスにおいては、ｅＮＢが、ＳＲＢ１およびＤＲＢの構成を含むＲＲＣ接続セットアップ・メッセージをＵＥに対して送信した（５０４）後に、ＵＥは、セキュリティ識別子と、接続識別子と、シグネチャとを含むことができるＲＲＣ接続セットアップ完了メッセージをｅＮＢに対して送信し（５０５）、ｅＮＢは、接続セットアップ完了メッセージの中の情報に従ってリソースを割り付け、またリソース割り付け結果をユーザ機器に対して通知し、これは、ｅＮＢが、図５の例において、アップリンク・リソース認可メッセージをＵＥに対して送信する（５０６）ことに対応している。その後に、データ送信は、図５におけるＵＤＰ／ＩＰパケットの送信において示されるように、ＵＥと、ｅＮＢと、Ｓ−ＧＷ／Ｐ−ＧＷとの間で実行されることもある。データ送信が、ある期間にわたって実行されなかった後に、リソースは、非アクティビティ・タイマーに基づいて解放されることもあり、またＲＲＣ接続は、解放されることもある。
【００４６】
図６に示されるモバイル終了（ＭＴ）シナリオの下のメッセージ・シーケンスにおいては、ｅＮＢが、ＳＲＢ１およびＤＲＢの構成を含むＲＲＣ接続セットアップ・メッセージをＵＥに対して送信した（６０７）後に、ＵＥは、セキュリティ識別子と、接続識別子と、シグネチャとを含むことができるＲＲＣ接続セットアップ完了メッセージをｅＮＢに対して送信し（６０８）、ｅＮＢは、接続セットアップ完了メッセージの中の情報に従ってリソースを割り付け、またリソース割り付け結果をユーザ機器に対して通知し、これは、ｅＮＢが、図６の中の例において、アップリンク・リソース認可メッセージをＵＥに対して送信する（６０９）ことに対応している。その後に、データ送信は、図６におけるＵＤＰ／ＩＰパケットの送信において示されるように、ＵＥと、ｅＮＢと、Ｓ−ＧＷ／Ｐ−ＧＷとの間で実行されることもある。データ送信が、ある期間にわたって実行されなかった後に、リソースは、非アクティビティ・タイマーに基づいて解放されることもあり、またＲＲＣ接続は、解放されることもある。
【００４７】
図３は、本発明の一実施形態による、データ送信のデバイス３００のブロック図である。図３に示されるデバイス３００は、当業者にとって使用可能なユーザ機器、または他の任意の適切な機器において、実施されることもある。
【００４８】
本発明による一実施形態においては、本デバイス３００は、スモール・データ・インジケータを含む接続要求を基地局に対して送信するように構成された要求トランスミッタ３１０と、基地局からの、信号無線ベアラおよびデータ無線ベアラの構成を含む接続セットアップ・メッセージの受信に応じて、リソース割り付け結果を取得するために、接続セットアップ完了メッセージを基地局に対して送信するように構成された完了メッセージ・トランスミッタとを備えていることができる。
【００４９】
本発明の一実施形態によれば、接続セットアップ完了メッセージは、セキュリティ識別子を含むことができ、そこでは、セキュリティ識別子は、使用された暗号化アルゴリズムと、その暗号化アルゴリズムのキーとに関連づけられる。
【００５０】
本発明の一実施形態によれば、接続セットアップ完了メッセージは、接続識別子をさらに含むことができ、そこでは、接続識別子は、基地局と、ゲートウェイとによって一度確立されるトンネルの識別子を表す。
【００５１】
本発明の一実施形態によれば、接続セットアップ完了メッセージは、シグネチャをさらに含むことができ、そこでは、シグネチャは、接続セットアップ完了メッセージを基地局に対して送信するユーザ機器の識別子を含むことができる。
【００５２】
本発明の一実施形態によれば、要求トランスミッタ３１０は、基地局からの、スモール・データ・インジケータを含むページング・メッセージの受信に応じて、アクセス・プリアンブルを基地局に対して送信するように構成されたプリアンブル送信ユニットと、基地局からの、アクセス・プリアンブルに対する応答の受信に応じて、接続要求を基地局に対して送信するように構成された接続要求送信ユニットとを備えていることができる。
【００５３】
図４は、本発明の一実施形態による、データ送信のデバイス４００のブロック図である。図４に示されるデバイス４００は、当業者にとって使用可能な基地局、または他の任意の適切な機器の中で実施されることもある。
【００５４】
本発明による一実施形態においては、本デバイス４００は、ユーザ機器からの、スモール・データ・インジケータを含む接続要求の受信に応じて、信号無線ベアラおよびデータ無線ベアラの構成を含む接続セットアップ・メッセージをユーザ機器に対して送信するように構成された接続セットアップ・トランスミッタ４１０と、ユーザ機器からの接続セットアップ完了メッセージの受信に応じて、リソース割り付け結果をユーザ機器に対して通知するように構成されたリソース割り付け通知器４２０とを備えていることができる。
【００５５】
本発明の一実施形態によれば、接続セットアップ完了メッセージは、セキュリティ識別子を含むことができ、そこでは、セキュリティ識別子は、使用された暗号化アルゴリズムと、その暗号化アルゴリズムのキーとに関連づけられる。
【００５６】
本発明の一実施形態によれば、接続セットアップ完了メッセージは、接続識別子をさらに含むことができ、そこでは、接続識別子は、基地局と、ゲートウェイとによって一度確立されるトンネルの識別子を表す。
【００５７】
本発明の一実施形態によれば、接続セットアップ完了メッセージは、シグネチャをさらに含むことができ、そこではシグネチャは、ユーザ機器の識別子を含んでいる。
【００５８】
本発明の一実施形態によれば、本デバイス４００は、モビリティ管理エンティティからの、スモール・データ・インジケータを含むページング通知の受信に応じて、スモール・データ・インジケータを含むページング・メッセージをユーザ機器に対して送信するように構成されたページング・メッセージ・トランスミッタ（図示されず）をさらに備えていることができ、そこでは、ページング通知は、ゲートウェイからの、スモール・データ・インジケータを含むダウンリンク・データ通知に応じて、基地局に対してモビリティ管理エンティティによって送信され、またそこでは、ユーザ機器は、基地局からのページング・メッセージの受信に応じて、アクセス・プリアンブルを基地局に対して送信し、また基地局からの、アクセス・プリアンブルに対する応答の受信に応じて、接続要求を基地局に対して送信する。
【００５９】
図３と、図４とについての構造的なブロック図は、例示の目的のためにすぎず、また本発明を限定することを意図してはいないことを理解すべきである。いくつかの場合には、いくつかの手段／ユニットは、必要に応じてその中で追加され、または低減される可能性がある。
【００６０】
本発明の実施形態によって開示される方法は、ソフトウェア、ハードウェア、またはそれらの組合せの形で実施されることもある。ハードウェア部分は、専用のロジックによって実施されることもあり、ソフトウェア部分は、メモリに記憶され、またマイクロプロセッサ、パーソナル・コンピュータ（ＰＣ：ｐｅｒｓｏｎａｌ  ｃｏｍｐｕｔｅｒ）、メインフレームなど、適切な命令実行システムによって実行されることもある。好ましい実施形態においては、本発明は、ソフトウェアとして実施され、このソフトウェアは、それだけには限定されないが、ファームウェアと、駐在ソフトウェアと、マイクロコードなどとを含んでいる。
【００６１】
さらに、本発明は、コンピュータから使用可能な、あるいはコンピュータもしくは任意の命令実行システムによる使用のための、またはコンピュータもしくは任意の命令実行システムに関連した使用のためのプログラム・コードを提供するコンピュータ読取り可能媒体によってアクセス可能な、コンピュータ・プログラム製品として実施されることもある。説明の目的のために、コンピュータ使用可能媒体またはコンピュータ読取り可能媒体は、命令実行のシステム、装置、またはデバイスによる使用のための、あるいは命令実行のシステム、装置、またはデバイスに関連した使用のためのプログラムを含み、記憶し、通信し、伝搬し、または移送することができる任意の有形な手段とすることができる。
【００６２】
媒体は、電気の、磁気の、光学的な、電磁的な、赤外線の、または半導体のシステム（装置もしくはデバイス）または伝搬媒体とすることができる。コンピュータ読取り可能媒体の例は、以下を、すなわち、半導体またはソリッド・ステートのデバイスと、磁気テープと、ポータブル・コンピュータ・ディスケットと、ランダム・アクセス・メモリ（ＲＡＭ：ｒａｎｄｏｍ  ａｃｃｅｓｓ  ｍｅｍｏｒｙ）と、リード・オンリー・メモリ（ＲＯＭ：ｒｅａｄ−ｏｎｌｙ  ｍｅｍｏｒｙ）と、ハード・ディスクと、光ディスクとを含むであろう。現在の光ディスクの例は、コンパクト・ディスク・リード・オンリー・メモリ（ＣＤ−ＲＯＭ）と、コンパクト・ディスク−読取り／書込み（ＣＲ−ＲＯＭ）と、ＤＶＤとを含む。
【００６３】
本発明の実施形態による、プログラム・コードを記憶し、または実行するように適合されるデータ処理システムは、直接に、またはシステム・バスを経由してメモリ要素に結合される少なくとも１つのプロセッサを含むであろう。メモリ要素は、プログラム・コードを実際に実行する間に使用可能なローカル・メモリと、マス・メモリと、実行中にマス・メモリからコードを取り出すための回数を減少させるようにするために、プログラム・コードの少なくとも一部分についての一時的ストレージを提供するキャッシュとを含むことができる。
【００６４】
本発明の実施形態を理解することをより簡単にするために、上記の説明は、当業者に知られており、また本発明を実施するために絶対に必要な可能性のあるいくつかのより詳細な技術的詳細を省略していることに注意すべきである。
【００６５】
本発明の説明を提供するための目的は、説明し、また記述することであり、開示された形態の内部において本発明を網羅し、または限定することではない。当業者にとっては、様々な修正形態と、代替形態とは、明らかである。
【００６６】
したがって、好ましい実施形態を選択すること、および説明することは、本発明の原理と、実際のアプリケーションとをより良く例証することであり、また当業者が、本発明の精神を逸脱することなく、すべての修正形態と、代替形態とが添付の特許請求の範囲によって限定されるように、本発明の保護範囲内に含まれることを理解することを可能にすることである。
【図１】
2016524841.tif 000003
【図２】
2016524841.tif 000004
【図３】
2016524841.tif 000005
【図４】
2016524841.tif 000006
【図５】
2016524841.tif 000007
【図６】
2016524841.tif 000008
【図７】
2016524841.tif 000009
【国際調査報告】
2016524841.tif 000010
2016524841.tif 000011